(57)【要約】【課題】樋継手本体の開口部を封止可能な蓋体が着脱自在に取り付けられた樋継手の前記蓋体内に、雨水等が溜まることなく、流出口から確実に排水する。【解決手段】集水体Ｓの集水口Ｓ１に連結される流入口１１と、竪樋Ｔの一端に連結される流出口１２とを備えたエルボ状の樋継手本体１の曲部近傍に、開口部１３を形成すると共に、この開口部１３を封止可能な蓋体２が着脱自在に取り付けられてなり、且つ、前記蓋体２内には、前記流入口１１に向けて棒体３が立設されてなる樋継手Ａであって、前記蓋体２は、その内面を前記流入口１１側に向けて底上げされ、前記曲部側における流出口１２の下端１２ａと略同位置に配置される滞留防止板部２１を形成してなる。【選択図】図１
2007218018.tif 000002
【特許請求の範囲】
【請求項１】
集水体の集水口に連結される流入口と、竪樋の一端に連結される流出口とを備えたエルボ状の樋継手本体の曲部近傍に、開口部を形成すると共に、この開口部を封止可能な蓋体が着脱自在に取り付けられてなり、且つ、前記蓋体内には、前記流入口に向けて棒体が立設されてなる樋継手であって、
前記蓋体は、その内面を前記流入口側に向けて底上げされ、前記曲部側における流出口の下端と略同位置に配置される滞留防止板部を形成したことを特徴とする樋継手。
【請求項２】
請求項１において、
滞留防止板部は、蓋体と一体的に形成されていることを特徴とする樋継手。
【発明の詳細な説明】
【技術分野】
【０００１】
本発明は、流入口と流出口を備えたエルボ状の樋継手本体の曲部近傍に開口部が形成されると共に、この開口部を封止可能な蓋体が着脱自在に取り付けられ、且つ、前記蓋体の内面には、前記流入口に向けて棒体が立設されてなり、前記流入口を、集水器等の集水体（以下、「集水体」と略する。）の集水口に連結すると共に、前記流出口を、竪樋の端部に連結して、前記集水体に集水される雨水等を前記竪樋に排水するための樋継手に関する。
【背景技術】
【０００２】
従来の樋継手は、軒樋の下流端に設置された集水体の集水口に、流入口と流出口を備えたエルボ状の樋継手本体の流入口を連結すると共に、この樋継手本体の流出口には、竪樋の上端部に内嵌する樋嵌合筒部を備えてなり、前記樋嵌合筒部を竪樋の上端部に内嵌させて、集水体と竪樋とを連通させ、集水体に集水される雨水等が、この樋継手を介して竪樋に通じて排水される構造のものが知られている（例えば、特許文献１参照。）。
【特許文献１】特開平８−１０９７１４号
【発明の開示】
【発明が解決しようとする課題】
【０００３】
ところで、前記集水体は、一般に、上方が開放された箱状に形成され、その底壁に集水口が形成された構造になっている。
【０００４】
そのため、前記集水体の上方から、例えば、ボール等の侵入物が侵入すると、前記侵入物が集水体の集水口を塞いでしまい、雨水等を竪樋を通じて排水できないばかりでなく、集水体に雨水等が貯水されて、やがて集水体から溢れ出てしまうという問題があった。
【０００５】
又、前記集水体に集水された雨水等は、その集水体の排水口の大きさに比例して排水されるが、豪雨などの際に多量の雨水等が流れ込んだ場合には、前記集水体の排水口から雨水等がスムーズに排水されずに、集水体から雨水等が溢れ出すことがあるという問題がある。
【０００６】
そこで、本出願人は、これらの問題を解決するため、エルボ状の樋継手本体の曲部近傍に、開口部を形成すると共に、この開口部を封止可能な蓋体を着脱自在に取り付け、しかも、前記蓋体の内面中央近傍には、前記流入口に向けて棒体を立設することによって、ボール等の侵入物の侵入を阻止すると共に、雨水等をスムーズに排水できる樋継手を発明し、既に出願している。
【０００７】
しかしながら、前記蓋体は、有底筒状の構造であるため、この蓋体を開口部に外嵌して装着した場合には、流出口の下端位置と蓋体の底面との間に、僅かな雨水やゴミ等（以下、「雨水等」と略する。）が排水口から排水されずに、そのまま蓋体内に滞留する恐れがあった。
【０００８】
この蓋体内に滞留された雨水等が排水されずに長期間放置されると、この滞留された雨水等にボウフラ等の害虫が発生し易くなり、また、異臭等も発生し易くなるという問題が生じる。
【０００９】
又、一旦取付けた蓋体は、これを頻繁に取り外すことは少なく、ともすれば、軒樋等に問題が生じない限り、蓋体を取外さないで放置する場合も多いのが実情である。
【００１０】
本発明は、かかる課題を解決することを目的としたものであり、エルボ状の樋継手本体の曲部近傍に、開口部を形成すると共に、この開口部を封止可能な蓋体が着脱自在に取り付けられた樋継手の前記蓋体内に、雨水等が溜まることなく、流出口から確実に排水可能な樋継手を提供するものである。
【課題を解決するための手段】
【００１１】
上記目的を達成するため、
請求項１に係る樋継手は、集水体の集水口に連結される流入口と、竪樋の一端に連結される流出口とを備えたエルボ状の樋継手本体の曲部近傍に、開口部を形成すると共に、この開口部を封止可能な蓋体が着脱自在に取り付けられてなり、且つ、前記蓋体内には、前記流入口に向けて棒体が立設されてなる樋継手であって、前記蓋体は、その内面を前記流入口側に向けて底上げされ、前記流出口の下端と略同位置に配置される滞留防止板部を形成したことを特徴とする。
【００１２】
請求項２に係る樋継手は、請求項１において、滞留防止板部は、蓋体と一体的に形成されていることを特徴とする。
【発明の効果】
【００１３】
本発明によれば、次のような効果がある。
請求項１に係る樋継手によれば、流出口の下端と略同位置に配置される滞留防止板部を蓋体内面に形成しているので、雨水等が滞留防止板部を介して流出口から排水され、蓋体内に雨水等が滞留することを確実に防止できる。
【００１４】
請求項２に係る樋継手によれば、滞留防止板部が、蓋体と一体的に形成されているので、蓋体を開口部に取付けるだけで、滞留防止板部を流出口の下端位置に簡単且つ確実に配置できる。
【発明を実施するための最良の形態】
【００１５】
以下、本発明に係る樋継手Ａを図面とともに説明する。
【実施例１】
【００１６】
図１は、本発明に係る樋継手Ａの一実施例を示す使用状態の分解斜視図、図２は、図１で示した樋継手Ａの概略断面図である。
【００１７】
この樋継手Ａは、集水体Ｓの集水口Ｓ１に連結される流入口１１と、竪樋Ｔの一端に連結される流出口１２とを備えたエルボ状の樋継手本体１の曲部近傍に、開口部１３を形成すると共に、この開口部１３を封止可能な蓋体２が着脱自在に取り付けられてなり、且つ、蓋体２の内面には、流入口１１に向けて棒体３が立設されてなる。
【００１８】
本発明は、蓋体２の内面を前記流入口１１側に向けて底上げされ、前記曲部側における流出口１２の下端１２ａと略同位置に配置される滞留防止板部２１を形成したことを特徴にしている。
【００１９】
以下、各部材について詳説する。
【００２０】
集水体Ｓは、上方が開放された箱状に形成されており、その一側壁には従来同様、軒樋Ｔ’の下流端が連通され、また、中央には、貫通された集水口Ｓ１が形成されている。
【００２１】
ここで、集水体Ｓとは、本実施例で例示した集水器に限定されるものではなく、例えば、受け升、ドレン、チーズ等の集水体具の総称を意味している。なお、集水体Ｓの形状も丸型、角型等に限定されるものではない。
【００２２】
樋継手本体１は、直管の側壁に、他の直管を水平よりも僅かに下方に向けて連結した断面略Ｌ型或いは略Ｔ型のエルボ状に一体形成してなり、上方の開口を流入口１１とし、側方の開口を流出口１２としたものであるが、この流出口１２の下端１２ａとは、前記他の直管が連結された下端１２ａを意味するものであり、流出口１２の開放端側の下端を意味するものではない。
【００２３】
また、樋継手本体１には、流入口１１の下方に向けて開口部１３が形成されるが、この開口部１３には、後述の蓋体２が装着されるため、流入口１１からの雨水等は、曲流されて流出口１２から排出されることとなる。
【００２４】
このように形成された樋継手本体１は、その流入口１１を、従来と同様、集水体Ｓの集水口Ｓ１に外嵌するように、流入口１１を嵌め込めば、樋継手本体１が集水体Ｓに連結して固定される。
【００２５】
一方、樋継手本体１の流出口１２には、竪樋Ｔの上端部Ｔ１に内嵌する樋嵌合筒部１４を形成しており、この樋嵌合筒部１４を竪樋Ｔの上端部Ｔ１に内嵌して連結している。
【００２６】
そして、樋継手本体１の開口部１３には、これを封止可能な蓋体２が着脱自在に取り付けられる。
【００２７】
この蓋体２は、開口部１３の下端を挟み込むようにして、この開口部１３と着脱可能な螺合構造を設けており、本実施例では、開口部１３の外側壁に、ネジ山１３ａを周方向に形成すると共に、このネジ山１３ａに螺合可能な螺合部２２を、蓋体２の外側壁２３内面に形成することで、蓋体２を開口部１３に螺合させて着脱可能にしている。
【００２８】
そして、開口部１３の下端を挟み込んだ蓋体２の内側壁２４は、これを上方に向けて延設すると共に、蓋体２を取付けた際、流出口１２の下端１２ａと同位置となる板状の滞留防止板部２１を一体形成している。
【００２９】
このように形成した蓋体２は、その内面を流入口１１側に向けて滞留防止板部２１で底上げすることができ、しかも、この滞留防止板部２１の上面２１ａは、蓋体２を取付けた際、流出口１２の下端１２ａと同位置に配置される。
【００３０】
なお、蓋体２と開口部１３との螺合構造は、これに限定されるものでなく、蓋体２を開口部１３に着脱可能な構造のものであれば、例えば、蓋体２の外側壁２３と内側壁２４を開口部１３に押圧しながら無理嵌めした着脱可能な嵌合式の構造であっても構わない。
【００３１】
そして、この蓋体２の滞留防止板部２１の上面２１ａ中央には、棒体３を立設して保持可能な筒状の係止受部２５を形成している。
【００３２】
本実施例で示す係止受部２５は、棒体３の下端３１を嵌合可能な上方が開放された筒状体を蓋体２の滞留防止板部２１と一体形成したものであるが、棒体３を立設して保持可能な構造であれば、これに限定されるものではなく、例えば、係止受部２５の内側壁にネジ溝（不図示）を形成すると共に、これに螺合されるネジ山（不図示）を棒体３の下端３１に形成したものでも構わない。
【００３３】
棒体３は、その名の通り、中実または中空の単なる棒状に形成したものであるが、この棒体３の長さは、蓋体２を開口部１３に装着した状態において、棒状体３の上端が流入口１１よりも上方に突出する程度に形成するのが好ましい。
【００３４】
上記の如く構成した本発明の樋継手Ａの使用要領を図１、２に基づき説明する。
【００３５】
先ず、本発明における樋継手本体１の流入口１１を、集水体Ｓの集水口Ｓ１に連結固定すると共に、樋継手本体１の流出口１２に、竪樋３の上端部を連結させて固定する。
【００３６】
次に、蓋体２の滞留防止板部２１の係止受部２５に、棒体３の下端３１を嵌合又は螺合して、この棒体３を蓋体２に立設させた状態に固定する。
【００３７】
そして、樋継手本体１の開口部１３に向けて、棒体３を貫通させながら、この開口部１３下端を、蓋体２の内側壁２４と外側壁２３で挟み込んで螺合すれば、図２で示すように、棒体３が立設された状態で蓋体２を簡単に装着できると共に、滞留防止板部２１の上面２１ａが、流出口１２の下端１２ａと同位置に配置されて樋継手Ａの設置を完了する。
【００３８】
この設置完了後、集水体Ｓの上方からボール等の侵入物（不図示）が侵入しようとしても、突出された棒体３の上端部が、これを邪魔して集水体Ｓの内部に侵入することを阻止し、前記侵入物（不図示）が集水口Ｓ１を塞いで、雨水等の詰まりを防止できる。
【００３９】
また、集水された雨水等は、棒体３の整流作用によって、樋継手本体１内に雨水等が滞留することなく、流出口１２からスムーズに排水されるのである。
【００４０】
そして、この排水の際、曲部側における流出口１２の下端１２ａと同位置には、滞留防止板部２１の上面２１ａが配置されているので、雨水等が蓋体２内に滞留する恐れがなく、雨水等を流出口１２から完全に排水して、雨水等の滞留を確実に防止することができ、その結果、ボウフラ等の害虫の発生や、異臭等が発生し易いという問題も確実に阻止できるのである。
【００４１】
このように本発明の樋継手Ａによれば、流出口１２の下端１２ａと同位置に配置される滞留防止板部２１を蓋体２内面に形成しているので、雨水等が滞留防止板部２１を介して流出口１２から排水され、蓋体２内に雨水等が滞留することを確実に防止できる。
【００４２】
又、滞留防止板部２１が、蓋体２と一体的に形成されているので、蓋体２を開口部１３に取付けるだけで、滞留防止板部２１を流出口１２の下端１２ａ位置に簡単且つ確実に配置できる。
【図面の簡単な説明】
【００４３】
【図１】本発明に係る樋継手Ａの一実施例を示す使用状態の分解斜視図である。
【図２】図１で示した樋継手Ａの概略断面図である。
【符号の説明】
【００４４】
Ａ      樋継手
Ｓ      集水体
Ｓ１    集水口
Ｔ      竪樋
１      樋継手本体
１１    流入口（雨水等の上流側口）
１２    流出口（雨水等の下流側口）
１２ａ  下端
１３    開口部
２      蓋体
２１    滞留防止板部
３      棒体
【図１】
2007218018.tif 000003
【図２】
2007218018.tif 000004